【手続補正書】
【提出日】平成16年4月22日(2004.4.22)
【手続補正１】
【補正対象書類名】明細書
【補正対象項目名】特許請求の範囲
【補正方法】変更
【補正の内容】
【特許請求の範囲】
【請求項１】
通信システムにおいて、伝送方法であって、
第１のタイプのトラヒックチャネルデータを含む第１のデータフレームを供給する段階と、
所定のフォーマットのフォーマットされたデータフレームを生成する段階であって、前記フォーマットされたデータフレームは、消去表示ビットと、混合モードビットと、１つ以上のフレームモードビットと、前記第１のタイプのトラヒックチャネルデータの複数のビットと、１つ以上のフレーム品質表示ビットと、１つ以上の末尾ビットとを順に含む、フォーマットされたデータフレームを生成する段階と、
前記フォーマットされたデータフレームを符号化する段階と、及び
前記符号化・フォーマットされたデータフレームを伝送する段階と、
を具備する伝送方法。
【請求項２】
請求項１に記載の方法において、さらに、前記フォーマットされたデータフレーム内に、前記第１のタイプのトラヒックチャネルデータの複数のビットと前記１つ以上のフレーム品質表示ビットとの間の前記第２のタイプのトラヒックチャネルデータの複数のビットを含む段階を具備する伝送方法。
【請求項３】
請求項１に記載の方法において、さらに、前記フォーマットされたデータフレーム内に、前記消去表示ビットと前記混合モードビットの間の予約ビットを含む段階を具備することを特徴とする伝送方法。
【請求項４】
請求項１に記載の方法において、前記第１のタイプのトラヒックチャネルデータはシグナリングトラヒックに対応する伝送方法。
【請求項５】
請求項１に記載の方法において、前記第１のタイプのトラヒックチャネルデータは二次トラヒックに対応する伝送方法。
【請求項６】
請求項３に記載の方法において、前記第１のタイプのトラヒックチャネルデータはシグナリングトラヒックに対応する伝送方法。
【請求項７】
請求項３に記載の方法において、前記第１のタイプのトラヒックチャネルデータは二次トラヒックに対応する伝送方法。
【請求項８】
請求項２に記載の方法において、さらに、前記フォーマットされたデータフレーム内に、前記消去表示ビットと前記混合モードビットの間の予約ビットを含む段階を具備する伝送方法。
【請求項９】
請求項２に記載の方法において、前記第１のタイプのトラヒックチャネルデータは一次トラヒックに対応し、前記第２のタイプのトラヒックチャネルデータはシグナリングトラヒックに対応する伝送方法。
【請求項１０】
請求項２に記載の方法において、前記第１のタイプのトラヒックチャネルデータは一次トラヒックに対応し、前記第２のタイプのトラヒックチャネルデータは二次トラヒックに対応する伝送方法。
【請求項１１】
請求項８に記載の方法において、前記第１のタイプのトラヒックチャネルデータは一次トラヒックに対応し、前記第２のタイプのトラヒックチャネルデータはシグナリングトラヒックに対応することを伝送方法。
【請求項１２】
請求項８に記載の方法において、前記第１のタイプのトラヒックチャネルデータは一次トラヒックに対応し、前記第２のタイプのトラヒックチャネルデータは二次トラヒックに対応する伝送方法。
【請求項１３】
請求項２に記載の方法において、さらに、前記フォーマットされたデータフレーム内に、前記第２のタイプのトラヒックチャネルデータの複数のビットと前記１つ以上のフレーム品質表示ビットとの間の第３のタイプのトラヒックチャネルデータの複数のビットを含む段階を具備する伝送方法。
【請求項１４】
請求項８に記載の方法において、さらに、前記フォーマットされたデータフレーム内に、前記第２のタイプのトラヒックチャネルデータの複数のビットと前記１つ以上のフレーム品質表示ビットとの間の第３のタイプのトラヒックチャネルデータの複数のビットを含む段階を具備する伝送方法。
【請求項１５】
請求項１３に記載の方法において、前記第１のタイプのトラヒックチャネルデータの前記複数のビットは一次トラヒックに対応し、前記第２のタイプのトラヒックチャネルデータの前記複数のビットはシグナリングトラヒックに対応し、前記第３のタイプのトラヒックチャネルデータの前記複数のビットは二次トラヒックに対応する伝送方法。
【請求項１６】
請求項１４に記載の方法において、前記第１のタイプのトラヒックチャネルデータの前記複数のビットは一次トラヒックに対応し、前記第２のタイプのトラヒックチャネルデータの前記複数のビットはシグナリングトラヒックに対応し、前記第３のタイプのトラヒックチャネルデータの前記複数のビットは二次トラヒックに対応する伝送方法。
【請求項１７】
通信システムにおいて、伝送方法であって、
一次トラヒックチャネルデータを含む第１のデータフレームを供給する段階と、
所定のフォーマットのフォーマットされたデータフレームを生成する段階であって、前記フォーマットされたデータフレームは、消去表示ビットと、混合モードビットと、前記一次トラヒックチャネルデータの複数のビットと、１つ以上のフレーム品質表示ビットと、１つ以上の末尾ビットとを順に含む、フォーマットされたデータフレームを生成する段階と、
前記フォーマットされたデータフレームを符号化する段階と、及び
前記符号化・フォーマットされたデータフレームを伝送する段階と、
を具備する伝送方法。
【請求項１８】
請求項１７に記載の方法において、さらに、前記フォーマットされたデータフレーム内に、前記消去表示ビットと前記混合モードビットの間の予約ビットを含む段階を具備する伝送方法。
【請求項１９】
通信システムにおいて用いられる送信器であって、前記送信器は、
第１のタイプのトラヒックチャネルデータを含む第１のデータフレームを供給する手段と、
所定のフォーマットのフォーマットされたデータフレームを生成する手段であって、前記フォーマットされたデータフレームは、消去表示ビットと、混合モードビットと、１つ以上のフレームモードビットと、前記第１のタイプのトラヒックチャネルデータの複数のビットと、１つ以上のフレーム品質表示ビットと  、１つ以上の末尾ビットとを順に含む、フォーマットされたデータフレームを生成する手段と、
前記フォーマットされたデータフレームを符号化する手段と、及び
前記符号化・フォーマットされたデータフレームを伝送する手段と、
を具備する送信器。
【請求項２０】
請求項１９に記載の送信器において、さらに、前記フォーマットされたデータフレーム内に、前記第１のタイプのトラヒックチャネルデータの複数のビットと前記１つ以上のフレーム品質表示ビットとの間の前記第２のタイプのトラヒックチャネルデータの複数のビットを含む手段を具備する送信器。
【請求項２１】
請求項１９に記載の送信器において、さらに、前記フォーマットされたデータフレーム内に、前記消去表示ビットと前記混合モードビットの間の予約ビットを含む手段を具備する送信器。
【請求項２２】
請求項１９に記載の送信器において、前記第１のタイプのトラヒックチャネルデータはシグナリングトラヒックに対応する送信器。
【請求項２３】
請求項１９に記載の送信器において、前記第１のタイプのトラヒックチャネルデータは二次トラヒックに対応する送信器。
【請求項２４】
請求項２１に記載の送信器において、前記第１のタイプのトラヒックチャネルデータはシグナリングトラヒックに対応する送信器。
【請求項２５】
請求項２１に記載の送信器において、前記第１のタイプのトラヒックチャネルデータは二次トラヒックに対応する送信器。
【請求項２６】
請求項２０に記載の送信器において、さらに、前記フォーマットされたデータフレーム内に、前記消去表示ビットと前記混合モードビットの間の予約ビットを含む手段を具備する送信器。
【請求項２７】
請求項２０に記載の送信器において、前記第１のタイプのトラヒックチャネルデータは一次トラヒックに対応し、前記第２のタイプのトラヒックチャネルデータはシグナリングトラヒックに対応する送信器。
【請求項２８】
請求項２０に記載の送信器において、前記第１のタイプのトラヒックチャネルデータは一次トラヒックに対応し、前記第２のタイプのトラヒックチャネルデータは二次トラヒックに対応する送信器。
【請求項２９】
請求項２６に記載の送信器において、前記第１のタイプのトラヒックチャネルデータは一次トラヒックに対応し、前記第２のタイプのトラヒックチャネルデータはシグナリングトラヒックに対応する送信器。
【請求項３０】
請求項２６に記載の送信器において、前記第１のタイプのトラヒックチャネルデータは一次トラヒックに対応し、前記第２のタイプのトラヒックチャネルデータは二次トラヒックに対応する送信器。
【請求項３１】
請求項２０に記載の送信器において、さらに、前記フォーマットされたデータフレーム内に、前記第２のタイプのトラヒックチャネルデータの複数のビットと前記１つ以上のフレーム品質表示ビットとの間の第３のタイプのトラヒックチャネルデータの複数のビットを含む手段を具備する送信器。
【請求項３２】
請求項２６に記載の送信器において、さらに、前記フォーマットされたデータフレーム内に、前記第２のタイプのトラヒックチャネルデータの複数のビットと前記１つ以上のフレーム品質表示ビットとの間の第３のタイプのトラヒックチャネルデータの複数のビットを含む手段を具備する送信器。
【請求項３３】
請求項３１に記載の送信器において、
前記第１のタイプのトラヒックチャネルデータの前記複数のビットは一次トラヒックに対応し、
前記第２のタイプのトラヒックチャネルデータの前記複数のビットはシグナリングトラヒックに対応し、前記第３のタイプのトラヒックチャネルデータの前記複数のビットは二次トラヒックに対応する送信器。
【請求項３４】
請求項３２に記載の送信器において、
前記第１のタイプのトラヒックチャネルデータの前記複数のビットは一次トラヒックに対応し、
前記第２のタイプのトラヒックチャネルデータの前記複数のビットはシグナリングトラヒックに対応し、前記第３のタイプのトラヒックチャネルデータの前記複数のビットは二次トラヒックに対応する送信器。
【請求項３５】
通信システムにおいて、情報を加入者装置から基地局に伝送する送信器であって、前記送信器は、
一次トラヒックチャネルデータを含む第１のデータフレームを供給する手段と、
所定のフォーマットのフォーマットされたデータフレームを生成する手段であって、前記フォーマットされたデータフレームは、消去表示ビットと、混合モードビットと、前記一次トラヒックチャネルデータの複数のビットと、１つ以上のフレーム品質表示ビットと、１つ以上の末尾ビットとを順に含む、フォーマットされたデータフレームを生成する手段と、
前記フォーマットされたデータフレームを符号化する手段と、及び
前記符号化・フォーマットされたデータフレームを伝送する手段と、
を具備する送信器。
【請求項３６】
請求項３５に記載の送信器において、さらに、前記フォーマットされたデータフレーム内に、前記消去表示ビットと前記混合モードビットの間の予約ビットを含む手段を具備する送信器。
【請求項３７】
請求項３２に記載のシステムにおいて、前記遠隔装置送信器は、さらに、前記フォーマットされたデータフレーム内に、前記消去表示ビットと前記混合モードビットの間の予約ビットを含む手段を具備するシステム。
【請求項３８】
請求項３７に記載のシステムにおいて、前記第１のタイプのトラヒックチャネルデータはシグナリングトラヒックに対応するシステム。
【請求項３９】
請求項３７に記載のシステムにおいて、前記第１のタイプのトラヒックチャネルデータは二次トラヒックに対応することを特徴とするシステム。
【請求項４０】
フォーマットされたデータを用いて通信を行うシステムであって、前記システムは、
遠隔装置送信器であって、
第１のタイプのトラヒックビットソースを供給する手段と、
第１のタイプのトラヒックチャネルデータを含む第１のデータフレームを供給する手段と、
前記第１のデータフレームを用いて所定のフォーマットのフォーマットされたデータフレームを生成する手段と、
前記第１のデータフレームに関連するフレームレートに基づいた符号化レートで前記フォーマットされたデータフレームを符号化する手段と、前記符号化・フォーマットされたデータフレームを伝送する手段とを備える遠隔装置送信器と、及び
前記遠隔装置送信器によって送信された前記符号化・フォーマットされたデータフレームを受信する基地局と、
ここで、前記遠隔装置送信器は、さらに、前記フォーマットされたデータフレーム内に、前記第１のタイプのトラヒックチャネルデータの複数のビットと前記１つ以上のフレーム品質表示ビットとの間の前記第２のタイプのトラヒックチャネルデータの複数のビットを含む手段を具備し、
前記遠隔装置送信器は、さらに、前記フォーマットされたデータフレーム内に、前記消去表示ビットと前記混合モードビットの間の予約ビットを含む手段を具備するシステム。
【請求項４１】
請求項４０に記載のシステムにおいて、前記第１のタイプのトラヒックチャネルデータは一次トラヒックに対応し、前記第２のタイプのトラヒックチャネルデータはシグナリングトラヒックに対応するシステム。
【請求項４２】
請求項４０に記載のシステムにおいて、前記第１のタイプのトラヒックチャネルデータは一次トラヒックに対応し、前記第２のタイプのトラヒックチャネルデータは二次トラヒックに対応するシステム。
【請求項４３】
請求項４０に記載のシステムにおいて、前記遠隔装置送信器は、さらに、前記フォーマットされたデータフレーム内に、前記第２のタイプのトラヒックチャネルデータの複数のビットと前記１つ以上のフレーム品質表示ビットとの間の第３のタイプのトラヒックチャネルデータの複数のビットを含む手段を具備するシステム。
【請求項４４】
請求項４３に記載のシステムにおいて、
前記第１のタイプのトラヒックチャネルデータの前記複数のビットは一次トラヒックに対応し、
前記第２のタイプのトラヒックチャネルデータの前記複数のビットはシグナリングトラヒックに対応し、前記第３のタイプのトラヒックチャネルデータの前記複数のビットは二次トラヒックに対応するシステム。